(57)【特許請求の範囲】
【請求項１】
ドライヤー本体（１）の吹出口（７）に収束ノズル（８）が装着してあるヘアードライヤーであって、
収束ノズル（８）は、一端に前記吹出口（７）に連結されるノズル入口（１１）を有し、他端にノズル出口（１２）が開口してある筒体で構成されて、ノズル入口（１１）とノズル出口（１２）をつなぐノズル筒壁（１３）が、ノズル入口（１１）からノズル出口（１２）へ向かって先すぼまり状に形成された絞り筒部（１９）と、絞り筒部（１９）に連続して形成された通路断面積が一定のストレート筒部（２０）とを含み、
ノズル出口（１２）と正対する状態において、ノズル出口（１２）がノズル入口（１１）の開口内面で開口してあり、
ドライヤー本体（１）の吹出口（７）と、ノズル入口（１１）およびノズル出口（１２）の内面形状が、それぞれ略円形に形成されており、
ノズル入口（１１）およびノズル出口（１２）の中心がノズル筒壁（１３）の中心軸線上に位置させてあり、
ストレート筒部（２０）の筒軸心方向の長さは、絞り筒部（１９）の筒軸心方向の長さより短い寸法に設定してあることを特徴とする収束ノズルを備えたヘアードライヤー。
【請求項２】
ストレート筒部（２０）の周方向の少なくとも一部に、ノズル出口（１２）に達する導風凹部（２５）が形成されており、
導風凹部（２５）のノズル入口側の端部に、ノズル筒壁（１３）の外面で開口する外気導入口（２６）が形成してある請求項１記載の収束ノズルを備えたヘアードライヤー。
【請求項３】
ストレート筒部（２０）を囲む筒壁の対向部分がノズル出口（１２）の外へ向かって突設されて一対の嘴状突部（２４）が形成されており、
嘴状突部（２４）を含むノズル筒壁（１３）の内面出口寄りにストレート筒部（２０）が形成してある請求項１または２記載の収束ノズルを備えたヘアードライヤー。
【発明の詳細な説明】
【技術分野】
【０００１】
本発明は、ドライヤー本体の吹出口に収束ノズルを備えているヘアードライヤーに関する。
【背景技術】
【０００２】
この種の収束ノズルは、乾燥風を使用者の意図する部分へ集中して送給し、髪の乾燥や髪のくせ付けを効果的に行うために使用される。乾燥風を集中させるために、収束ノズルの周囲壁はノズル入口からノズル出口へ向かって通路断面積が小さくなるように絞り込んであり、さらにノズル出口を扁平筒状などの非円形断面に形成して、収束ノズルから吹き出される乾燥風を集中できるようにしている。
【０００３】
この種の収束ノズルに関して、本出願人は、収束ノズルから吹き出される乾燥風の温度および湿度を適度に緩和調整できるようにした収束ノズルを先に提案している（特許文献１）。そこでは、筒壁が出口へ向かってくさび状に絞られたノズル本体と、ノズル本体の出口に装着される出口筒とで収束ノズルを構成している。この収束ノズルによれば、ノズル本体を通過する乾燥風のベンチュリー作用で外気をノズル内へ導入して、乾燥風の温度および湿度をほどよく緩和することができる。つまり、乾燥風の温度を低下させ、湿度を上げることができる。
【０００４】
【特許文献１】登録実用新案第３０１４２９９号公報（段落番号００１７、図７）
【発明の開示】
【発明が解決しようとする課題】
【０００５】
上記のように従来の収束ノズルは、ドライヤー本体の吹出口から吹き出される乾燥風を所定の形状に絞って、より多くの温熱や冷熱を対象部分に集中的に供給することで、収束ノズルを使用しない場合に比べて、髪の乾燥効果や整髪効果を向上できるようにしている。その限りでは、ともかく乾燥風を収束ノズルで収束して絞った状態で供給すれば良いはずであり、この原則は冷風（常温の風）を供給する場合には例外なく当てはまる。
【０００６】
しかし、稀にではあるが、温風を供給する場合に限って、温風を収束ノズルで絞ったとしても期待した効果を発揮できない事例のあることが指摘されている。そこでは、収束ノズルを使用せずに、ドライヤー本体の吹出口から温風を直接吹き出したほうが、温風の温度が高い点も併せて指摘されている。本発明者は指摘を受けた事例について、真偽を確認するために追試を行った。
【０００７】
具体的には、ドライヤー本体の吹出口に収束ノズルを装着した状態と、収束ノズルを装着していない状態とで、ドライヤー本体の吹出口、あるいは収束ノズルの出口から一定距離だけ離れた位置で温風温度を測定した。両状態とも、複数の測定箇所で同じ測定条件に従って測定した。その結果、指摘されたとおり、ドライヤー本体の吹出口から温風を直接吹き出すときの温風の温度が、収束ノズルを使用して温風を絞った状態で吹き出すときの温風の温度よりも高い値になることを確認した。このように、収束ノズルを使用することで温風の温度が低下するのでは、髪の乾燥や整髪を効果的に行えないのはもちろんであるが、ヘアードライヤーに対する信頼性が大きく損なわれることにもなりかねない。
【０００８】
本発明者は、上記のような温度の逆転現象が起きる原因を検討し追究した。ドライヤー本体の吹出口から吹き出される温風の温度は一定であるので、収束ノズルで温風を絞り込むことで温度が低下しているのが原因であるのは容易に想像できる。風量が一定の温風を絞った状態では、温風の流速が高まり圧力は低下する。そのため、収束ノズルの出口付近では、低温の周囲空気が温風に引きずり込まれて温風の温度が低下する。先の事例では引きずり込まれる空気の割合が大きいために温風の温度が大きく低下し、肌で感じられるほどの温度差を生じているものと想定される。このような温風の温度低下現象は、特許文献１の収束ノズルのように、外部空気を積極的に導入することで温風温度を低下できることからも容易に理解できる。
【０００９】
本発明者は、以上のような知見を基礎にして、収束ノズルの形状および構造が温風の温度低下に少なからず影響しているであろう点に着眼して、温風の温度が低下しにくい収束ノズルはどうあるべきかを検討した。さらに、ドライヤー本体の吹出口から温風を直接吹き出す場合よりも、さらに高温の温風を吹き出すことができる収束ノズルの最適な形状および構造はどうあるべきかを探求して、本発明を提案するに至った。
【００１０】
本発明の目的は、温風を絞り込みながら、温風の温度が低下しにくい収束ノズルを備えたヘアードライヤーを提供することにある。本発明の目的は、ノズル本体を通過する乾燥風のベンチュリー作用で外気をノズル内へ導入して、乾燥風の温度および湿度をほどよく緩和できるヘアードライヤーを提供することにある。
【課題を解決するための手段】
【００１１】
本発明のヘアードライヤーは、ドライヤー本体１の吹出口７に収束ノズル８が装着してあるヘアードライヤーを対象とする。収束ノズル８は、一端に前記吹出口７に連結されるノズル入口１１を有し、他端にノズル出口１２が開口してある筒体で構成されて、ノズル入口１１とノズル出口１２をつなぐノズル筒壁１３が、ノズル入口１１からノズル出口１２へ向かって先すぼまり状に形成された絞り筒部１９と、絞り筒部１９に連続して形成された通路断面積が一定のストレート筒部２０とを含む。ノズル出口１２と正対する状態において、ノズル出口１２がノズル入口１１の開口内面で開口してある。
【００１２】
ドライヤー本体１の吹出口７と、ノズル入口１１およびノズル出口１２の内面形状は、それぞれ略円形に形成する。ノズル入口１１およびノズル出口１２の中心をノズル筒壁１３の中心軸線上に位置させる。ストレート筒部２０の筒軸心方向の長さは、絞り筒部１４の筒軸心方向の長さより短い寸法に設定してある。
【００１３】
ストレート筒部２０の周方向の少なくとも一部に、ノズル出口１２に達する導風凹部２５を形成する。導風凹部２５のノズル入口側の端部に、ノズル筒壁１３の外面で開口する外気導入口２６を形成する。
【００１４】
ストレート筒部２０を囲む筒壁の対向部分をノズル出口１２の外へ向かって突設して一対の嘴状突部２４を形成する。嘴状突部２４を含むノズル筒壁１３の内面出口寄りにストレート筒部２０を形成する。
【発明の効果】
【００１５】
本発明では、ノズル出口１２へ向かって先すぼまり状に形成されるノズル筒壁１３の内面出口寄りからノズル出口１２にわたって、通路断面積が一定のストレート筒部２０を形成した。さらに、ノズル出口１２と正対する状態において、ノズル出口１２をノズル入口１１の開口内面で開口した。このように、ノズル筒壁１３の内面出口寄りにストレート筒部２０を備え、ノズル出口１２をノズル入口１１の開口内面で開口させる収束ノズル８によれば、温風を収束ノズル８で絞り込みながら、ドライヤー本体１の吹出口７から吹き出される温風の温度が低下するのを防止でき、これにより髪の乾燥や整髪を効果的に行うことができる。
【００１６】
とくに、ドライヤー本体１の吹出口７と、ノズル入口１１およびノズル出口１２の内面形状のそれぞれを略円形に形成し、ノズル入口１１およびノズル出口１２の中心をノズル筒壁１３の中心軸線上に位置させる収束ノズル８によれば、ドライヤー本体１の吹出口７から温風を直接吹き出す場合よりも温風の温度を向上できるので、髪の乾燥や整髪をさらに効果的に行うことができる。
【００１７】
ストレート筒部２０の周方向の少なくとも一部に、ノズル出口１２に達する導風凹部２５を形成し、そのノズル入口側の端部にノズル筒壁１３の外面で開口する外気導入口２６を形成する収束ノズル８によれば、収束ノズル８から吹き出される温風の温度を向上しながら、同時に、収束ノズル８を通過する乾燥風のベンチュリー作用によって、外気を外気導入口２６と導風凹部２５を介してノズル内へ導入して、乾燥風の温度および湿度をほどよく緩和した状態で送給できる。このように、本発明の収束ノズル８によれば、収束ノズル８で温風の温度を向上しながら外気を導入して、温風の温度および湿度を好適な状態に調整できるので、髪が傷むのを避けながら、髪の乾燥や髪のくせ付けを効果的におこなうことができる。
【００１８】
ストレート筒部２０を囲む筒壁の対向部分をノズル出口１２の外へ向かって突設して一対の嘴状突部２４を形成し、嘴状突部２４を含むノズル筒壁１３の内面出口寄りにストレート筒部２０を形成すると、ノズル出口１２におけるストレート筒部２０の筒軸心方向の長さを、嘴状突部２４の突出寸法分だけ大きくできる。したがって、ノズル出口１２から吹き出される乾燥風の直進性を向上して、使用者の意図する部分へ乾燥風を確実に送給し、髪の乾燥やくせ付けを効果的に行うことができる。嘴状突部２４を手掛かりにして収束ノズル８を取り外すことにより、より簡便に収束ノズル８を吹出口７から分離できる。
【発明を実施するための最良の形態】
【００１９】
（実施例１）  図１ないし図３は本発明に係る収束ノズルの実施例を示す。図２に収束ノズルが装着されるヘアードライヤーの一例を示す。ヘアードライヤーは、横長筒状のドライヤー本体１と、ドライヤー本体１の体径端側の下面に連結されるグリップ２とを備えている。ドライヤー本体１の内部には、軸流型のファン３と、ファン駆動用のモーター４と、ファン３で送給される空気流を加熱するヒーター５などが配置してある。グリップ２に設けたスイッチノブ１０は、オフ位置から第１運転モードと第２運転モードにスライド切り換えでき、第１運転モードにおいてはファン３のみが回転駆動されて、常温の冷風が送給される。また、第２運転モードにおいてはファン３とヒーター５とが同時に稼動されて、温風が送給される。ファン３が回転駆動される状態では、外部空気がドライヤー本体１の後端の吸込グリル６から吸い込まれ、ファン３で加圧された空気流はドライヤー本体１の他端の吹出口７から吹き出される。この吹出口７に本発明の収束ノズル８が着脱自在に装着してある。吹出口７に隣接して金属板製の吹出グリル９が配置してある。
【００２０】
収束ノズル８は、一端にノズル入口１１を有し、他端にノズル出口１２が開口してある筒状の射出成形品からなる。それぞれ円形に形成したノズル入口１１とノズル出口１２との間には、ノズル入口１１の側からノズル出口１２の側へ向かって先すぼまり状に形成したノズル筒壁１３が設けてある。より詳しくは、ノズル筒壁１３をテーパーコーン状に形成して、その筒壁の中心軸線上にノズル入口１１およびノズル出口１２の円中心を位置させている。したがって、ノズル出口１２と正対する状態においては、図３に示すようにノズル出口１２がノズル入口１１の開口内面で開口して同心円を構成する。ノズル筒壁１３の外面は、ドライヤー本体１の周面形状に連続して、外突状の緩やかな湾曲面で形成してある。
【００２１】
先の吹出口７を囲む状態で収束ノズル８を嵌合装着するための連結壁１５が形成してある。また、ノズル入口１１側の開口部分には先の連結壁１５に外嵌する連結筒壁１６が形成してある。本発明におけるノズル入口１１とは、吹出口７の開口内面に連続するノズル筒壁１３の開口部分を意味し、先の連結筒壁１６は含まない。連結壁１５の外面、および連結筒壁１６の内面には、互いに係合する係合リブ１７・１８が部分円弧状に形成してある。ノズル筒壁１３の内面には、先の連結筒壁１６に連続して断面円形の絞り筒部１９が形成され、さらに絞り筒部１９に連続してストレート筒部２０が形成してある。図１において絞り筒部１９の筒軸心方向の形成範囲を符号Ｂ１で示し、ストレート筒部２０の筒軸心方向の形成範囲を符号Ｂ２で示している。
【００２２】
絞り筒部１９は、ノズル出口１２へ向かってすぼまる円錐台状のテーパー面で形成してあり、筒軸心方向における任意の位置の断面形状は円形となる。絞り筒部１９の傾き角度はノズル筒壁１３の外面の傾き角度より僅かに大きく設定してある。また、絞り筒部１９の連結筒壁１６側の端部には面取り部２１が形成してある。ストレート筒部２０は断面円形に形成してあり、ノズル出口１２の開口内面に沿って周回状に形成してある。その通路断面積は、絞り筒部１９との隣接端から、ノズル出口１２との隣接端に至る間で一定とする。なお、絞り筒部１９とストレート筒部２０との筒軸心方向の長さの合計寸法を１００とするとき、ストレート筒部２０の筒軸心方向の長さの割合は約２８であり、ストレート筒部２０の筒軸心方向の長さは、絞り筒部１９の筒軸心方向の長さより短い寸法に設定してある。
【００２３】
先に説明したように、収束ノズル８は射出成形法によって形成され、その関係でストレート筒部２０には金型の分離を円滑化する抜き勾配が付与される。したがって、厳密な意味で言うと、抜き勾配が付与されたストレート筒部２０は、絞り筒部１９との隣接端からノズル出口１２の側へ向かって先拡がりテーパー状か、あるいは先すぼまりテーパー状のいずれかに形成されることになる。この点の論争を避けるために、本発明においては、文字通りストレート筒部２０の通路断面積が一定である場合はもちろん、ストレート筒部２０に成形を行ううえで常識的な抜き勾配が付与された状態であっても、ストレート筒部２０の通路断面積は一定であるとみなすことにする。
【００２４】
本発明者は、上記の収束ノズル８を製作する過程で、収束ノズルの最適形状を探る目的で比較テストを行った。具体的には既存の収束ノズルを用意し、さらに形態が異なる収束ノズルを試作して、各収束ノズルを使用するときの温風の温度を測定した。温風の温度は、収束ノズルのノズル出口から３ｃｍ離れた位置と、収束ノズルのノズル出口から２０ｃｍ離れた位置とで行った。また、ノズル出口が円形の収束ノズルの場合には、図４（ａ）に示すようにＰ１〜Ｐ５の各計測位置で温度を測定した。ノズル出口が扁平な収束ノズルの場合には、図４（ｂ）に示すように収束ノズルをノズル出口が水平になる姿勢でドライヤー本体の吹出口に装着し、さらに図４（ｃ）に示すようにノズル出口が垂直になる姿勢で吹出口に装着してＰ１〜Ｐ５の各計測位置で温度を測定した。
【００２５】
図５（ａ）〜（ｆ）に測定対象となる各収束ノズルの外観図を示す。
図５（ａ）に示す収束ノズルは、全体が鳥の嘴状に形成してあり、上下の嘴状壁は部分球面状の湾曲壁で形成してある。上下の嘴状壁の間はノズル入口の近くまで大きくえぐられている。
そのため、ノズル出口と正対する状態では、ノズル出口の両端部がノズル入り口の外郭線から大きくはみ出る。
図５（ｂ）に示す収束ノズルは、ノズル出口を扁平に形成したものであり、ノズル出口の開口幅と開口長さの比（以下、縦横比という）が大きい点に形態上の特徴がある。ノズル出口と正対する状態では、ノズル出口の両端部分がノズル入口１１の開口形状の外へはみ出る。ノズル出口の対向する直線辺部の近傍においては、先の実施例で説明したストレート筒部２０と同様の筒部が形成される。しかし、ノズル出口の両端の湾曲部分は出口へ向かって末広がり状になっている。なお、以上の各収束ノズルは既存品であり、以下の各収束ノズルは試作品である。
【００２６】
図５（ｃ）に示す収束ノズルは、先の図５（ｂ）の収束ノズルと同様にノズル出口を扁平に形成したものであるが、その縦横比は図５（ｂ）の収束ノズルよりさらに小さい。ノズル出口と正対する状態、つまり収束ノズルの全体をノズル出口と対向する状態（図３の状態）で見るとき、ノズル出口の全体はノズル入り口の開口内面で開口している。ノズル出口の開口面積は８ｃとした。ノズル出口の内面には、ストレート筒部２０が周回状に形成してある。
図５（ｄ）に示す収束ノズルは、図５（ｃ）の収束ノズルと同様にノズル出口を扁平に形成したものであるが、ノズル開口の開口面積を８ｃとした。ノズル開口の縦横比は図５（ｃ）の収束ノズルに比べて幾分大きいものの、ノズル出口と正対する状態では、ノズル出口の全体がノズル入り口の開口内面で開口している。この収束ノズルにおいても、ノズル出口の内面にストレート筒部２０が周回状に形成してある。
図５（ｅ）に示す収束ノズルは、先に説明した実施例と同等の構造に形成してあり、ノズル開口が円形に形成してある。ノズル筒壁の内面にはストレート筒部２０が形成してある。ノズル出口の開口面積は１０ｃとした。
図５（ｆ）に示す収束ノズルは、図５（ｅ）の収束ノズルと同様にノズル出口を円形に形成し、ノズル筒壁の内面にストレート筒部２０を設けたものである。ノズル開口の開口面積は８ｃとした。
【００２７】
以上の比較テストで得られた温風の温度測定結果を下記の表１および表２に示す。なお、表１および表２においてノズル出口形状を表すアルファベット記号ａ〜ｆは、図５（ａ）〜（ｆ）の図番符号に対応している。また、収束ノズルを使用しない状態における温風の温度測定結果を符号で示している。温度単位は℃である。
【００２８】
【表１】
0004671302.tif 000002
【００２９】
【表２】
0004671302.tif 000003
【００３０】
以上の測定結果から明らかな通り、収束ノズルのノズル出口から３ｃｍ離れた位置では、形状符号がａ・ｂの収束ノズルに比べて、形状符号がｃ・ｄ・ｅ・ｆの収束ノズルの温風温度が高いことが判る。さらに収束ノズルを使用しない状態に比べても温風温度の高いことが判る。収束ノズルのノズル出口から２０ｃｍ離れた位置でも、概ね同様の傾向が見られるが、ノズル出口が扁平な収束ノズルｃ・ｄに比べて、ノズル出口が円形で、その出口端にストレート筒部２０を備えている収束ノズルｅ・ｆのほうが、温風温度の平均値が高いことが判る。本発明者は、以上の比較試験の結果から、実施例１の収束ノズルの構造を、形状符号がｅの収束ノズルと同じに設定した。
【００３１】
（実施例２）  図６および図１０は本発明に係る収束ノズルの実施例２を示す。この実施例における収束ノズル８は、実施例１における収束ノズルを基本構造にしてその一部を変更したものであるが、ノズル出口１２の全体がノズル入り口１１の開口内面で開口している点に変わりはない。
【００３２】
図６に示すように、ノズル出口１２の側へ向かって先すぼまり状に形成したノズル筒壁１３は、一対の上下筒壁１３ａと、上下筒壁１３ａの周面に対して段落ち状に形成される一対の左右筒壁１３ｂとで形成してあり、基本的には先の実施例１と同様にノズル筒壁１３をテーパーコーン状に形成している。この実施例におけるノズル筒壁１３においては、上下筒壁１３ａの筒軸心方向の長さを左右筒壁１３ｂの筒軸心方向の長さより大きく設定することにより、上下筒壁１３ａの突端に一対の嘴状突部２４が形成されるようにした。ノズル筒壁１３の内部には、実施例１と同様の絞り筒部１９を形成し、嘴状突部２４を含むノズル筒壁１３の内面出口寄りにストレート筒部２０を形成した。これにより、ストレート筒部２０の筒軸心方向の長さは、嘴状突部２４の内面において最も大きく、左右筒壁１３ｂの内面において最も小さくなる（図８参照）。このように嘴状突部２４を設けて、その内面におけるストレート筒部２０の筒軸心方向の長さを大きく設定すると、収束ノズル８で絞られる乾燥風が拡散しようとするのをストレート筒部２０で規制して、乾燥風の直進性を向上できる。
【００３３】
外気を収束ノズル８内へ導入して、乾燥風の温度および湿度をほどよく緩和するために、先の左右筒壁１３ｂの内面に位置するストレート筒部２０に導風凹部２５を形成し、導風凹部２５のノズル入口側の端部に左右筒壁１３ｂの外面で開口する外気導入口２６を形成した。図８に示すように、導風凹部２５は絞り筒部１９とストレート筒部２０の両者にわたって凹み形成してあり、その端部は左右筒壁１３ｂの突端縁を形成するノズル出口１２に達している。
【００３４】
外気導入口２６は、左右筒壁１３ｂの一部を筒壁内面側へ膨出させて形成してあり、これにより外気を円滑に流動案内するガイド凹部２７が外気導入口２６に連続して花弁状に形成される。ガイド凹部２７の凹み深さは外気導入口２６の側で最も深く、外気導入口２６から離れるに従って凹み深さが徐々に浅く設定してある。図８に示すように外気導入口２６およびガイド凹部２７は、その上下中央部分に設けたリブ壁２８で上下に区分してある。
【００３５】
ドライヤー本体１の吹出口７に装着した収束ノズル８を周方向に位置決めし、さらに収束ノズル８の取り外し操作を支援するために、連結壁１５の外面左右壁のそれぞれに、頂部が丸められた位置決突起３１を形成し、さらに、左右筒壁１３ｂのノズル入口１１側の端部に位置決突起３１と同形の位置決凹部３２を切り欠き形成している。他は実施例１と同じであるので、同じ部材に同じ符号を付してその説明を省略する。
【００３６】
以上のように、導風凹部２５および外気導入口２６を付加した収束ノズル８によれば、ノズル筒壁１３の内部を通過する温風のベンチュリー作用で外気をノズル内へ導入して、温風の温度および湿度をほどよく緩和し、髪を傷めにくい高湿度で温度が高くない温風流とすることができる。傷んだ髪の状態がさらに悪化することもない。
【００３７】
収束ノズル８を吹出口７から取り外す場合には、上下の嘴状突部２４に手や指を引っ掛けた状態で収束ノズル８を周方向いずれかへ回転操作する。このように収束ノズル８を回転操作すると、図１０に示すように、位置決凹部３２が位置決突起３１の反力を受けて、ノズル出口１２の側へ向かって押し出される。その結果、収束ノズル８の係合リブ１８が吹出口７側の係合リブ１７を乗り越えて、両者１７・１８の係合状態が解除されるので、収束ノズル８をより小さな力で確実に取り外すことができる。位置決凹部３２や位置決突起３１が形成されていない場合にも、上下の嘴状突部２４を手掛かりにして、収束ノズル８を確実かつ容易に回転操作できる。
【００３８】
上記の実施例以外に、収束ノズル８のノズル出口１２の開口形状は円形であることが好ましいが、必要があれば概ね円形ないしは楕円などに変更することができる。その場合でも、ノズル出口１２の全体はノズル入り口１１の開口内面で開口させる。また、ノズル入口１１とノズル出口１２とは、両者の中心が一致する同心円である必要はなく、若干ずれていてもよい。収束ノズル８は吹出口７に対して着脱自在である必要はなく、例えば吹出口７に外嵌装着した収束ノズル８がビスでドライヤ本体１に締結固定してあってもよい。その場合には、ビスを取り外さない限りは収束ノズル８を分離することができない。
【図面の簡単な説明】
【００３９】
【図１】実施例１に係る収束ノズルの縦断側面図である。
【図２】収束ノズルを装着した状態のヘアードライヤーの側面図である。
【図３】収束ノズルを装着した状態のヘアードライヤーの正面図である。
【図４】収束ノズルにおける温風温度の計測位置を示す説明図である。
【図５】比較テストに供した収束ノズルの外観図である。
【図６】実施例２に係る収束ノズルの側面図である。
【図７】実施例２に係る収束ノズル、およびヘアードライヤーの正面図である。
【図８】図７におけるＡ−Ａ線断面図である。
【図９】図８におけるＢ−Ｂ線断面図である。
【図１０】実施例２に係る収束ノズルの分離状態を示す側面図である。
【符号の説明】
【００４０】
１  ドライヤー本体
７  吹出口
８  収束ノズル
１１  ノズル入口
１２  ノズル出口
１３  ノズル筒壁
２０  ストレート筒部
２４  嘴状突部
２５  導風凹部
２６  外気導入口
【図１】
0004671302.tif 000004
【図２】
0004671302.tif 000005
【図３】
0004671302.tif 000006
【図４】
0004671302.tif 000007
【図５】
0004671302.tif 000008
【図６】
0004671302.tif 000009
【図７】
0004671302.tif 000010
【図８】
0004671302.tif 000011
【図９】
0004671302.tif 000012
【図１０】
0004671302.tif 000013